(57)【特許請求の範囲】
【請求項１】
撮影レンズの像側に装着し、その焦点距離を拡大するリアコンバージョンレンズであって、物体側から順に負レンズと正レンズの接合から成る正の屈折力を有する第１レンズ群と、２枚の負レンズから成る負の屈折力を有する第２レンズ群と、少なくとも正レンズと負レンズの接合レンズおよび正レンズから成る正の屈折力を有する第３レンズ群とから構成され、前記第２レンズ群の最も物体側の負レンズは、
下記の条件式を満足することを特徴とするリアコンバージョンレンズ。
（１）      ０．００８＜θｇＦｎ２−０．６４８２６＋０．００１８００８×νｄｎ２
（２）      ６０＜νｄｎ２
（３）      ０．４＜ｆｎ２／ｆ＜２．０
θｇＦｎ２：前記第２レンズ群の最も物体側の前記負レンズの部分分散比
νｄｎ２  ：前記第２レンズ群の最も物体側の前記負レンズのｄ線のアッベ数
ｆｎ２    ：前記第２レンズ群の最も物体側の前記負レンズの焦点距離
ｆ        ：前記リアコンバージョンレンズの焦点距離
【請求項２】
下記の条件式を満足することを特徴とする請求項１に記載のリアコンバージョンレンズ。
（４）      ０．５５＜｜ｆ３／ｆ｜
ｆ３：前記第３レンズ群の焦点距離
ｆ  ：前記リアコンバージョンレンズの焦点距離
【請求項３】
下記の条件式を満足することを特徴とする請求項１又は２に記載のリアコンバージョンレンズ。
（５）      １．０２＜Ｎ１１／Ｎ１２＜１．２５
Ｎ１１：前記第１レンズ群の負レンズの屈折率
Ｎ１２：前記第１レンズ群の正レンズの屈折率
【請求項４】
下記の条件式を満足することを特徴とする請求項１乃至３のいずれかに記載のリアコンバージョンレンズ。
（６）      １．２５＜β＜１．５５
β：前記リアコンバージョンレンズの拡大倍率
【発明の詳細な説明】
【技術分野】
【０００１】
本発明はデジタルカメラ、ビデオカメラなどに用いられる撮影レンズ（主レンズ）の像側に装着し、その焦点距離を拡大するリアコンバージョンレンズに関する。
【背景技術】
【０００２】
従来、デジタルスチルカメラは交換レンズ（主レンズ）とカメラ本体の間にリアコンバージョンレンズを装着することで焦点距離を長い方へ変位することが実施されている。また、主レンズにリアコンバージョンレンズを装着した合成系の収差は、リアコンバージョンレンズによって拡大された主レンズの収差とリアコンバージョンレンズの収差の合成となる。従って、主レンズにリアコンバージョンレンズを装着した合成系の画質を良くするために、リアコンバージョンレンズは、リアコンバージョンレンズ自体の収差を小さくすることが求められている。
【０００３】
一般的に、同じ画素数ならば、大型の撮像素子は小型のものに比べて画素当たりの面積が大きいため、ノイズの少ない良好な画像を得ることができる。そこで、高画質を実現するため大型の撮像素子を採用するデジタルスチルカメラやビデオカメラ等が近年増加している。主レンズに用いられる結像光学系もカメラに採用される大型の撮像素子に対応するようになっている。しかし撮像素子が大きくなると、当然ながら結像光学系も大型化する傾向がある。そのため、リアコンバージョンレンズは小型化が求められている。
【０００４】
さらに近年、Ｆ２．０程度の明るい望遠レンズへ装着した場合に画質を良くすることが求められている。
【０００５】
大型の撮像素子に対応し、倍率が１．４倍程度のリアコンバージョンレンズが、特許文献１や特許文献２に開示されている。
【先行技術文献】
【特許文献】
【０００６】
【特許文献１】特開２０１１−０８１１１１号公報
【特許文献２】特開昭６０−１３６７１２号公報
【発明の概要】
【発明が解決しようとする課題】
【０００７】
特許文献１におけるリアコンバージョンレンズでは負レンズに高分散かつ部分分散比の大きい材料を用いて倍率色収差を良好に補正している。しかしながら、高分散かつ部分分散比の大きい材料は短波長側の透過率が低いため、リアコンバージョンレンズを装着した時の透過光の色味の変化を十分に小さくできない。また、最も像面側のレンズの有効径が大きいためデジタルカメラのマウント部分の機構と干渉するリスクが大きくなるとともに、レンズ鏡筒の外径を小さくしづらいという課題を有している。
【０００８】
特許文献２におけるリアコンバージョンレンズはＦ２．０の大口径望遠レンズを基準対物レンズとして設計された。しかしながら、リアコンバージョンレンズの倍率色収差が十分に補正されていない。また、基準対物レンズのもつ球面収差と像面湾曲および非点収差を相殺するようにリアコンバージョンレンズの収差を持たせているため、収差の小さい主レンズに装着した場合にリアコンバージョンレンズの持つ収差によって画質の劣化が起こるという課題を有している。
【０００９】
本発明はこのような状況に鑑みてなされたものであり、Ｆ２．０程度の明るい望遠レンズへ装着した場合にも良好な画質が得られ、大型の撮像素子に対応し、小型なリアコンバージョンレンズを提供することを目的とする。
【課題を解決するための手段】
【００１０】
前述の課題を解決するための手段である第１の発明は、撮影レンズの像側に装着し、その焦点距離を拡大するリアコンバージョンレンズであって、物体側から順に負レンズと正レンズの接合から成る正の屈折力を有する第１レンズ群と、２枚の負レンズから成る負の屈折力を有する第２レンズ群と、少なくとも正レンズと負レンズの接合レンズおよび正レンズから成る正の屈折力を有する第３レンズ群とから構成され、前記第２レンズ群の最も物体側の負レンズは、下記の条件式を満足することを特徴とするリアコンバージョンレンズ。
（１）      ０．００８＜θｇＦｎ２−０．６４８２６＋０．００１８００８×νｄｎ２
（２）      ６０＜νｄｎ２
（３）      ０．４＜ｆｎ２／ｆ＜２．０
θｇＦｎ２：前記第２レンズ群の最も物体側の前記負レンズの部分分散比
νｄｎ２  ：前記第２レンズ群の最も物体側の前記負レンズのｄ線のアッベ数
ｆｎ２    ：前記第２レンズ群の最も物体側の前記負レンズの焦点距離
ｆ        ：前記リアコンバージョンレンズの焦点距離
【００１１】
また、前述の課題を解決するための手段である第２の発明は、第１の発明であるリアコンバージョンレンズであって、さらに次の条件式を満足することを特徴とするリアコンバージョンレンズである。
（４）      ０．５５＜｜ｆ３／ｆ｜
ｆ３：前記第３レンズ群の焦点距離
ｆ  ：前記リアコンバージョンレンズの焦点距離
【００１２】
また、前述の課題を解決するための手段である第３の発明は、第１の発明又は第２の発明であるリアコンバージョンレンズであって、さらに次の条件式を満足することを特徴とするリアコンバージョンレンズである。
（５）      １．０２＜Ｎ１１／Ｎ１２＜１．２５
Ｎ１１：前記第１レンズ群の負レンズの屈折率
Ｎ１２：前記第１レンズ群の正レンズの屈折率
【００１３】
また、前述の課題を解決するための手段である第４の発明は、第１の発明乃至第３の発明のいずれかに記載のリアコンバージョンレンズであって、さらに次の条件式を満足することを特徴とするリアコンバージョンレンズである。
（６）      １．２５＜β＜１．５５
β：前記リアコンバージョンレンズの拡大倍率
【発明の効果】
【００１４】
本発明によれば、Ｆ２．０程度の明るい望遠レンズへ装着した場合にも良好な画質が得られ、大型の撮像素子に対応し、小型なリアコンバージョンレンズを提供することができる。
【図面の簡単な説明】
【００１５】
【図１】各数値実施例に用いる主レンズのレンズ構成図
【図２】各数値実施例に用いる主レンズの縦収差図
【図３】各数値実施例に用いる主レンズの横収差図
【図４】数値実施例１のリアコンバージョンレンズを主レンズに装着した時のレンズ構成図
【図５】数値実施例１のリアコンバージョンレンズのレンズ構成図
【図６】数値実施例１のリアコンバージョンレンズを主レンズに装着した時の縦収差図
【図７】数値実施例１のリアコンバージョンレンズを主レンズに装着した時の横収差図
【図８】数値実施例２のリアコンバージョンレンズのレンズ構成図
【図９】数値実施例２のリアコンバージョンレンズを主レンズに装着した時の縦収差図
【図１０】数値実施例２のリアコンバージョンレンズを主レンズに装着した時の横収差図
【図１１】数値実施例３のリアコンバージョンレンズのレンズ構成図
【図１２】数値実施例３のリアコンバージョンレンズを主レンズに装着した時の縦収差図
【図１３】数値実施例３のリアコンバージョンレンズを主レンズに装着した時の横収差図
【図１４】数値実施例４のリアコンバージョンレンズのレンズ構成図
【図１５】数値実施例４のリアコンバージョンレンズを主レンズに装着した時の縦収差図
【図１６】数値実施例４のリアコンバージョンレンズを主レンズに装着した時の横収差図
【図１７】数値実施例５のリアコンバージョンレンズのレンズ構成図
【図１８】数値実施例５のリアコンバージョンレンズを主レンズに装着した時の縦収差図
【図１９】数値実施例５のリアコンバージョンレンズを主レンズに装着した時の横収差図
【発明を実施するための形態】
【００１６】
本発明のリアコンバージョンレンズは、第１の発明として、図５、図８、図１１、図１４及び図１７に示す本発明の実施例１から実施例５のリアコンバージョンレンズのレンズ構成図からわかるように、物体側から順に負レンズと正レンズの接合から成る正の屈折力を有する第１レンズ群と、２枚の負レンズから成る負の屈折力を有する第２レンズ群と、少なくとも正レンズと負レンズの接合レンズおよび正レンズから成る正の屈折力を有する第３レンズ群とから構成されている。
【００１７】
このような構成をとることにより、負の屈折力の第２レンズ群のもつ負のペッツバール和を正の屈折力の第１レンズ群と正の屈折力の第３レンズ群で補正することが可能であり、また第２レンズ群のもつ球面収差を比較的軸上光束の径の大きい第１レンズ群で効果的に補正することが可能であり、さらに第２レンズ群のもつ正の歪曲収差を像面に近い第３レンズ群で効果的に補正することが可能である。
【００１８】
また本発明では、以下のことを考慮し条件式（１）と（２）を設定した。リアコンバージョンレンズで発生する倍率色収差の２次スペクトルを、第２レンズ群の最も物体側の負レンズの部分分散比、アッベ数を制約することにより抑制した。ただし、この制約は負レンズの屈折率を下げるため、一般的なリアコンバージョンレンズのペッツバール和の負への偏移抑制手法である負レンズ硝材に高屈折率硝材を用いる手法が使用できない。そのため本発明では、さらに第２レンズ群の構成を以下のようにすることで、ペッツバール和の負への偏移を抑制した。すなわち、負の屈折力を有する第２レンズ群の物体側の負レンズと、後続の負レンズとの軸上間隔が大きくなるように第２レンズ群先頭の負レンズの像側の面を像側に対し凹面に、後続の負レンズの物体側の面を物体側に対し凹面にし、そのレンズ間隔を大きく広げることで、第２レンズ群の各レンズの負の屈折力を弱くしたまま、第２レンズ群の負の屈折力が確保できるようにし、ペッツバール和の負への偏移を抑制した。これにより倍率色収差の２次スペクトルの発生と、ペッツバール和の負への偏移を同時に抑制することを可能とした。
【００１９】
さらに、以下のことを考慮し条件式（３）を設定した。第２レンズ群の最も物体側のレンズの負レンズの焦点距離と、リアコンバージョンレンズの焦点距離の比を規定することにより、リアコンバージョンレンズで発生する倍率色収差の２次スペクトルを小さくし、かつ球面収差やコマ収差の発生の抑制し、Ｆ２．０の大口径望遠レンズを基準対物レンズとしても十分な光学性能を得ることを可能とした。
【００２０】
さらに、以下のことを考慮し条件式（４）を設定した。本発明は、カメラ側のマウント部分の機構と干渉するリスクを避け、レンズ鏡筒の外径を小さくするため、前記第３レンズ群の焦点距離とリアコンバージョンレンズの焦点距離の比を規定し、最も像側のレンズの有効径を制限することを可能とした。
【００２１】
さらに、以下のことを考慮し条件式（５）を設定した。本発明は、前記第１レンズ群を構成する負レンズと正レンズの屈折率の比を規定することにより、リアコンバージョンレンズのペッツバール和を適正に保ち、色収差の発生を抑え良好な画質を得ることを可能とした。
【００２２】
さらに、以下のことを考慮し条件式（６）を設定した。本発明ではリアコンバージョンレンズの拡大倍率範囲を規定することにより、良好な画質を得ることができる範囲を保証した。
【００２３】
また、本発明のリアコンバージョンレンズは、以下に示す条件式（１）乃至（３）を満足することを特徴とする。
（１）      ０．００８＜θｇＦｎ２−０．６４８２６＋０．００１８００８×νｄｎ２
（２）      ６０＜νｄｎ２
（３）      ０．４＜ｆｎ２／ｆ＜２．０
θｇＦｎ２：前記第２レンズ群の最も物体側の前記負レンズの部分分散比
νｄｎ２  ：前記第２レンズ群の最も物体側の前記負レンズのｄ線のアッベ数
ｆｎ２    ：前記第２レンズ群の最も物体側の前記負レンズの焦点距離
ｆ        ：前記リアコンバージョンレンズの焦点距離
【００２４】
条件式（１）はリアコンバージョンレンズで発生する倍率色収差の２次スペクトルを小さくして、リアコンバージョンレンズを主レンズに取り付けた時に良好な画質を得るための好ましい条件として、第２レンズ群の最も物体側の負レンズの部分分散比について規定するものである。
【００２５】
条件式（１）の下限値を超え、前記負レンズの部分分散比が小さくなると、リアコンバージョンレンズで発生する倍率色収差の２次スペクトルを補正するのが難しくなる。
【００２６】
尚、条件式（１）について、望ましくはその下限値を０．０１９に、また、さらには０．０３０とすることで、前述の効果をより確実にすることができる。
【００２７】
条件式（２）はリアコンバージョンレンズで発生する軸上色収差および倍率色収差を小さくして、リアコンバージョンレンズを主レンズに取り付けた時に良好な画質を得るための好ましい条件として、第２レンズ群の最も物体側の負レンズのアッベ数について規定するものである。
【００２８】
条件式（２）の下限値を超え、前記負レンズのアッベ数が小さくなると、リアコンバージョンレンズで発生する軸上色収差および倍率色収差の補正が困難になる。
【００２９】
尚、条件式（２）について、望ましくはその下限値を６５．０に、また、さらには７５．０とすることで、前述の効果をより確実にすることができる。
【００３０】
条件式（３）はリアコンバージョンレンズで発生する倍率色収差の２次スペクトルを小さくして、球面収差やコマ収差の発生を抑制し、リアコンバージョンレンズを主レンズに取り付けた時に良好な画質を得るための好ましい条件として、第２レンズ群の最も物体側のレンズの負レンズの焦点距離とリアコンバージョンレンズの焦点距離の比について規定するものである。
【００３１】
条件式（３）の下限値を超え、第２レンズ群の最も物体側の負レンズの焦点距離が短くなると、前記負レンズの曲率が大きくなり、前記負レンズに入射する光束を急激に曲げることになるため球面収差やコマ収差が発生し良好な画質を得ることが困難になる。
【００３２】
条件式（３）の上限値を超え、第２レンズ群の最も物体側の負レンズの焦点距離が長くなると、前記負レンズの２次スペクトル補正効果が少なくなり、リアコンバージョンレンズで発生する倍率色収差の２次スペクトルを補正することが困難になる。
【００３３】
尚、条件式（３）について、望ましくはその下限値を０．４５に、また、さらに上限値を１．９とすることで、前述の効果をより確実にすることができる
【００３４】
さらに、以下に示す条件式を満足することを特徴とする請求項１に記載のリアコンバージョンレンズ。
（４）      ０．５５＜｜ｆ３／ｆ｜
ｆ３：前記第３レンズ群の焦点距離
ｆ  ：前記リアコンバージョンレンズの焦点距離
【００３５】
条件式（４）は最も像側のレンズの有効径を制限するための条件として、前記第３レンズ群の焦点距離とリアコンバージョンレンズの焦点距離の比について規定するものである。
【００３６】
条件式（４）の下限値を超え、前記第３レンズ群の焦点距離が短くなると、強い正の屈折力によって軸外光束の射出角が緩くなるため、最も像側のレンズの有効径が大きくなってしまう。
【００３７】
尚、条件式（４）について、望ましくは下限値を０．６０に、また、さらに上限値を１２．００とすることで、前述の効果をより確実にすることができる。
【００３８】
条件式（４）についての望ましい上限値を超え、前記第３レンズ群の焦点距離が長くなると、負の屈折力を有する第２レンズ群で発生する負のペッツバール和と正の歪曲収差を正の屈折力を有する第３レンズ群によって補正することが困難になってしまう。
【００３９】
さらに、以下に示す条件式を満足することを特徴とする請求項１乃至２に記載のリアコンバージョンレンズ。
（５）      １．０２＜Ｎ１１／Ｎ１２＜１．２５
Ｎ１１：前記第１レンズ群の負レンズの屈折率
Ｎ１２：前記第１レンズ群の正レンズの屈折率
【００４０】
条件式（５）はリアコンバージョンレンズのペッツバール和を適正に保ち、色収差の発生を抑えるための好ましい条件として、第１レンズ群の負レンズの屈折率と第１レンズ群の正レンズの屈折率の比に関して規定するものである。
【００４１】
リアコンバージョンレンズは全体として負の屈折力を有するため、負のペッツバール和が出てしまう。負のペッツバール和の補正のためには負レンズに高屈折率硝材を用いて正レンズに低屈折率硝材を用いる必要がある。また、本発明では負のペッツバール和を効率よく抑制するために、第２レンズ群を２枚の負レンズで構成している。そのため第２レンズ群は色消しされておらず、その色収差を補正するためには、正の屈折力を有する第１レンズ群の色収差を補正不足にしなければならない。第１レンズ群のペッツバール和を正に偏移させつつ、かつ第１レンズ群の色収差を補正不足にするためには正レンズと負レンズの硝材は適切に選択しなければならない。
【００４２】
条件式（５）の下限値を超え、前記第１レンズ群の負レンズの屈折率と前記第１レンズ群の正レンズの屈折率の比が小さくなると、リアコンバージョンレンズのペッツバール和が補正不足となり、像面湾曲、非点収差等の補正が困難になる。
【００４３】
条件式（５）の上限値を超え、第１レンズ群の負レンズの屈折率が高くなり、第１レンズ群の正レンズの屈折率が低くなると、負レンズは高分散硝材、正レンズは低分散硝材しか選択できず、第２レンズ群自身の色収差を相殺するための第１レンズ群のアンダーな色収差を発生させることができなくなるため、第１、第２レンズ群合成系での色収差を補正できない。
【００４４】
尚、条件式（５）について、望ましくは下限値を１．０４に、また、さらに上限値を１．２０とすることで、前述の効果をより確実にすることができる。
【００４５】
さらに、以下に示す条件式を満足することを特徴とする請求項１乃至３のいずれかに記載のリアコンバージョンレンズ。
（６）      １．２５＜β＜１．５５
β：前記リアコンバージョンレンズの拡大倍率
【００４６】
条件式（６）はリアコンバージョンレンズの拡大倍率を規定したものである。
【００４７】
条件式（６）の下限値を下回った場合、リアコンバージョンレンズとして十分な拡大倍率を確保できない。
【００４８】
条件式（６）の上限値を上回った場合、リアコンバージョンレンズの負の屈折力が強くなり、収差補正が困難になる。
【００４９】
尚、条件式（６）について、望ましくは下限値を１．３０に、また、さらに上限値を１．５０とすることで、前述の効果をより確実にすることができる。
【００５０】
次に、本発明の結像光学系に係る実施例のレンズ構成について説明する。なお、以下の説明ではレンズ構成を物体側から像側の順番で記載する。
【００５１】
以下に、前述した本発明のリアコンバージョンレンズの各実施例の具体的な数値データを示す。
【００５２】
［面データ］において、面番号は物体側から数えたレンズ面または開口絞りの番号、ｒは各面の曲率半径、ｄは各面の間隔、ｎｄはｄ線（波長λ＝５８７．５６ｎｍ）に対する屈折率、ｖｄはｄ線に対するアッベ数を示している。
【００５３】
面番号に付した（絞り）は、その位置に開口絞りが位置していることを示している。平面又は開口絞りに対する曲率半径には∞（無限大）を記入している。
【００５４】
［各種データ］は、撮影距離が無限遠（ＩＮＦ）における値を示している。
【００５５】
［可変間隔データ］は、撮影距離が無限遠（ＩＮＦ）における可変間隔及びＢＦ（バックフォーカス）の値を示している。また、ｄ１は、主レンズの最も像側の面とリアコンバージョンレンズの最も物体側の面の間隔である。
【００５６】
尚、以下の全ての諸元値において、記載している焦点距離ｆ、曲率半径ｒ、レンズ面間隔ｄ、その他の長さの単位は特記のない限りミリメートル（ｍｍ）を使用するが、光学系では比例拡大と比例縮小においても同等の光学性能が得られるので、これに限定されるものではない。
【００５７】
さらに、図５、図８、図１１、図１４及び図１７に示すレンズ構成図は主レンズに本発明の各実施例のリアコンバージョンレンズを装着した時のレンズ構成図である。また、図１、図４、図５、図８、図１１、図１４及び図１７において、Ｓは開口絞り、Ｉは像面、Ｆはフィルタ、中心を通る一点鎖線は光軸である。
【００５８】
尚、本願発明の各実施例に用いる主レンズは、特開２００８−１４５５８４号公報の実施例１に開示されている結像光学系としている。しかし、主レンズはこれに限らない。
【００５９】
実施例において色収差の評価を適切に行うために、特開２００８−１４５５８４号公報の実施例１に既知の硝種をあてはめた。
【００６０】
主レンズの硝種においてあてはめられているのは、株式会社オハラ（ＯＨＡＲＡ）、株式会社住田光学ガラス（ＳＵＭＩＴＡ）の硝種である。
【００６１】
以下に、各実施例に用いた主レンズの結像光学系の諸元値を示す。
主レンズ
単位：mm
[面データ]
面番号        r           d         nd        vd            硝種
1        469.6730     6.2300    1.48749    70.20      S-FSL5(OHARA)
2    -105940.0000     0.5200
3         91.9260    18.4900    1.43387    95.10   K-CaFK95(SUMITA)
4     -15019.2810     1.9400
5         82.8680    17.1200    1.49700    81.50     S-FPL51(OHARA)
6       -583.6530     0.1000
7       -545.8800     4.4000    1.65412    39.70      S-NBH5(OHARA)
8        159.3730     1.4900
9         92.9750     5.0000    1.69680    55.50     S-LAL14(OHARA)
10         37.3600    14.8500    1.49700    81.50     S-FPL51(OHARA)
11        135.8090    14.8700
12      -1035.9160     3.9700    1.84666    23.80     S-NPH53(OHARA)
13       -101.5790     3.0000    1.77250    49.60     S-LAH66(OHARA)
14         63.7130    26.4800
15(絞り)           ∞     4.4400
16        124.2420     2.1000    1.65412    39.70      S-NBH5(OHARA)
17         41.6660     9.3800    1.77250    49.60     S-LAH66(OHARA)
18       -320.1080     2.7500
19       -392.9170     1.9000    1.69680    55.50     S-LAL14(OHARA)
20         63.9480     3.9300
21       -114.5970     4.0100    1.84666    23.80     S-NPH53(OHARA)
22        -40.9430     1.9000    1.54072    47.20      S-TIL2(OHARA)
23         81.9900     3.0300
24        104.8090     8.0100    1.72916    54.70     S-LAL18(OHARA)
25        -41.1240     2.0000    1.80518    25.40      S-TIH6(OHARA)
26       -347.9880     0.2000
27         72.3650     3.7300    1.80400    46.60     S-LAH65(OHARA)
28        518.3480     3.2700
29              ∞     2.0000    1.51633    64.10      S-BSL7(OHARA)
30              ∞       (BF)
[各種データ]
INF
焦点距離         194.93
Fナンバー          2.05
全画角2ω         12.70
像高Y           21.63
レンズ全長        231.33
[可変間隔データ]
INF
BF           60.2233
【実施例１】
【００６２】
図５は、本発明の実施例１のリアコンバージョンレンズのレンズ構成図である。本発明の実施例１のリアコンバージョンレンズは、物体より順に、第１レンズ群と第２レンズ群と第３レンズ群とからなり、第１レンズ群は全体で正の屈折力を有しており、物体側に凸面を向けた負の屈折力を有するメニスカス形状の第１レンズと両凸形状の正の屈折力を有する第２レンズを貼り合わせた接合レンズからなり、第２レンズ群は全体で負の屈折力を有しており、物体側に凸面を向けた負の屈折力を有するメニスカス形状の第３レンズと、物体側に凹面を向けた負の屈折力を有するメニスカス形状の第４レンズとからなり、第３レンズ群は全体で正の屈折力を有しており、両凸形状の正の屈折力を有する第５レンズと両凹形状の負の屈折力を有する第６レンズを貼り合わせた接合レンズと、両凸形状の正の屈折力を有する第７レンズとから成る。
【００６３】
続いて、以下に実施例１に係るリアコンバージョンレンズの諸元値を示す。
数値実施例１
単位：mm
[面データ]
面番号       r         d        nd       vd
1           ∞      (d1)
2      59.8100    0.8000   1.88100   40.14
3      26.2200    7.0500   1.60342   38.01
4     -96.4600    0.1500
5     210.0000    0.8000   1.49700   81.61
6      32.4600    5.5900
7     -43.4900    0.8000   1.72916   54.67
8   -1000.0000    0.3000
9      43.1700    7.3500   1.58144   40.89
10     -43.1700    0.8000   1.95375   32.32
11     251.0000    0.9000
12     208.5000    3.3000   1.54814   45.82
13    -101.8000      (BF)
[各種データ]
INF
焦点距離        274.52
Fナンバー         2.89
全画角2ω         9.06
像高Y          21.63
レンズ全長       252.18
[可変間隔データ]
INF
d1          13.7230
BF          39.5088
【００６４】
図８は、本発明の実施例２のリアコンバージョンレンズのレンズ構成図である。本発明の実施例２のリアコンバージョンレンズは、物体より順に、第１レンズ群と第２レンズ群と第３レンズ群とからなり、第１レンズ群は全体で正の屈折力を有しており、物体側に凸面を向けた負の屈折力を有するメニスカス形状の第１レンズと両凸形状の正の屈折力を有する第２レンズを貼り合わせた接合レンズからなり、第２レンズ群は全体で負の屈折力を有しており、両凹形状の負の屈折力を有する第３レンズと、物体側に凹面を向けた負の屈折力を有するメニスカス形状の第４レンズとからなり、第３レンズ群は全体で正の屈折力を有しており、両凸形状の正の屈折力を有する第５レンズと両凹形状の負の屈折力を有する第６レンズを貼り合わせた接合レンズと、両凸形状の正の屈折力を有する第７レンズとから成る。
【００６５】
続いて、以下に実施例２に係るリアコンバージョンレンズの諸元値を示す。
数値実施例２
単位：mm
[面データ]
面番号        r          d        nd       vd
1            ∞      (d1)
2       66.0190    0.8000   1.95375   32.32
3       35.3830    6.1820   1.67270   32.17
4      -91.7020    0.2040
5     -931.7020    0.8000   1.59282   68.63
6       32.8170    5.4690
7      -44.7230    0.8000   1.88100   40.14
8     -100.8890    0.3000
9       50.4050    7.8520   1.62004   36.30
10      -31.4180    0.8000   1.90366   31.32
11       98.6600    0.1500
12       59.7110    4.0510   1.58144   40.89
13     -237.9460      (BF)
[各種データ]
INF
焦点距離        271.75
Fナンバー         2.86
全画角2ω         9.17
像高Y          21.63
レンズ全長       252.05
[可変間隔データ]
INF
d1          13.7230
BF          39.8110
【００６６】
図１１は、本発明の実施例３のリアコンバージョンレンズのレンズ構成図である。本発明の実施例３のリアコンバージョンレンズは、物体より順に、第１レンズ群と第２レンズ群と第３レンズ群とからなり、第１レンズ群は全体で正の屈折力を有しており、物体側に凸面を向けた負の屈折力を有するメニスカス形状の第１レンズと両凸形状の正の屈折力を有する第２レンズを貼り合わせた接合レンズからなり、第２レンズ群は全体で負の屈折力を有しており、物体側に凸面を向けた負の屈折力を有するメニスカス形状の第３レンズと、両凹形状の負の屈折力を有する第４レンズとからなり、第３レンズ群は全体で正の屈折力を有しており、両凸形状の正の屈折力を有する第５レンズと両凹形状の負の屈折力を有する第６レンズを貼り合わせた接合レンズと、両凸形状の正の屈折力を有する第７レンズとから成る。
【００６７】
続いて、以下に実施例３に係るリアコンバージョンレンズの諸元値を示す。
数値実施例３
単位：mm
[面データ]
面番号      r          d         nd      vd
1           ∞      (d1)
2     210.4920    0.8000   1.72342   37.99
3      30.5280    6.5890   1.64769   33.84
4     -99.8290    0.1500
5      44.8550    0.8000   1.43700   95.10
6      29.3030    5.1840
7     -75.8580    0.8000   1.88100   40.14
8     117.7360    0.3000
9      50.6340    7.2060   1.64769   33.84
10     -34.7390    0.8000   1.95375   32.32
11     146.3490    0.1500
12      70.3300    3.4420   1.56732   42.84
13    -349.6400      (BF)
[各種データ]
INF
焦点距離        271.72
Fナンバー         2.86
全画角2ω         9.11
像高Y          21.63
レンズ全長       251.06
[可変間隔データ]
INF
d1          13.7230
BF          40.0044
【００６８】
図１４は、本発明の実施例４のリアコンバージョンレンズのレンズ構成図である。本発明の実施例４のリアコンバージョンレンズは、物体より順に、第１レンズ群と第２レンズ群と第３レンズ群とからなり、第１レンズ群は全体で正の屈折力を有しており、物体側に凸面を向けた負の屈折力を有するメニスカス形状の第１レンズと両凸形状の正の屈折力を有する第２レンズを貼り合わせた接合レンズからなり、第２レンズ群は全体で負の屈折力を有しており、物体側に凸面を向けた負の屈折力を有するメニスカス形状の第３レンズと、両凹形状の負の屈折力を有する第４レンズとからなり、第３レンズ群は全体で正の屈折力を有しており、両凸形状の正の屈折力を有する第５レンズと両凹形状の負の屈折力を有する第６レンズを貼り合わせた接合レンズと、両凸形状の正の屈折力を有する第７レンズとから成る。
【００６９】
続いて、以下に実施例４に係るリアコンバージョンレンズの諸元値を示す。
数値実施例４
単位：mm
[面データ]
面番号      r          d         nd      vd
1           ∞      (d1)
2      62.2260    0.8000   1.95375   32.32
3      26.4420    6.7050   1.67270   32.17
4    -137.9460    2.9160
5    1151.0430    0.8000   1.49700   81.61
6      46.9200    4.1970
7     -55.4650    0.8000   1.88100   40.14
8     119.2010    0.3000
9      76.6530    5.4880   1.64769   33.84
10     -50.6120    0.8000   1.95375   32.32
11     194.7300    0.1500
12      80.7560    4.9180   1.54814   45.82
13     -61.1020      (BF)
[各種データ]
INF
焦点距離        271.97
Fナンバー         2.86
全画角2ω         9.07
像高Y          21.63
レンズ全長       251.07
[可変間隔データ]
INF
d1          13.7230
BF          38.3621
【００７０】
図１７は、本発明の実施例５のリアコンバージョンレンズのレンズ構成図である。本発明の実施例５のリアコンバージョンレンズは、物体より順に、第１レンズ群と第２レンズ群と第３レンズ群とからなり、第１レンズ群は全体で正の屈折力を有しており、物体側に凸面を向けた負の屈折力を有するメニスカス形状の第１レンズと両凸形状の正の屈折力を有する第２レンズを貼り合わせた接合レンズからなり、第２レンズ群は全体で負の屈折力を有しており、物体側に凸面を向けた負の屈折力を有するメニスカス形状の第３レンズと、両凹形状の負の屈折力を有する第４レンズとからなり、第３レンズ群は全体で正の屈折力を有しており、両凸形状の正の屈折力を有する第５レンズと両凹形状の負の屈折力を有する第６レンズを貼り合わせた接合レンズと、両凸形状の正の屈折力を有する第７レンズとから成る。
【００７１】
続いて、以下に実施例５に係るリアコンバージョンレンズの諸元値を示す。
数値実施例５
単位：mm
[面データ]
面番号       r          d       nd       vd
1           ∞       (d1)
2       72.7850    0.8000   1.95375   32.32
3       28.5570    6.5010   1.68893   31.16
4     -122.9250    0.1500
5      121.3020    0.8000   1.43700   95.10
6       40.1480    4.0630
7      -84.2270    0.8000   1.88100   40.14
8      391.9530    0.3000
9       96.1130    5.6220   1.62588   35.74
10      -39.4780    0.8000   1.91082   35.25
11       99.6230    0.1500
12       53.4330    3.5840   1.54814   45.82
13    -1506.4730      (BF)
[各種データ]
INF
焦点距離        271.71
Fナンバー         2.86
全画角2ω         9.06
像高Y          21.63
レンズ全長       250.23
[可変間隔データ]
INF
d1          13.7230
BF          41.8260
【００７２】
また、これらの各実施例における条件式の対応値の一覧を示す。
【００７３】
[条件式対応値]
条件式／実施例               1        2        3
(1)    0.008＜θgFn2-0.64826+0.0018008×νdn2    0.0375   0.0194   0.0564
(2)                  60＜νdn2                    81.61    68.63    95.10
(3)                0.4＜fn2/f＜2.0                 0.67     0.46     1.80
(4)                 0.55＜|f3/f|                   0.94     1.31     1.23
(5)              1.02＜N11/N12＜1.25               1.17     1.17     1.05
(6)                1.25＜β＜1.55                  1.41     1.39     1.39
条件式／実施例                    4       5
(1)    0.008＜θgFn2-0.64826+0.0018008×νdn2       0.0375   0.0564
(2)                  60＜νdn2                       81.61    95.10
(3)                0.4＜fn2/f＜2.0                    0.83     1.26
(4)                 0.55＜|f3/f|                      0.65    10.00
(5)              1.02＜N11/N12＜1.25                  1.17     1.16
(6)                1.25＜β＜1.55                     1.40     1.39
【符号の説明】
【００７４】
ＭＬ    主レンズ
Ｆ      フィルタ
ＲＣＬ  リアコンバージョンレンズ
Ｇ１    第１レンズ群
Ｇ２    第２レンズ群
Ｇ３    第３レンズ群
Ｉ      像面
Ｓ      開口絞り
【図１】
0006337687.tif 000002
【図２】
0006337687.tif 000003
【図３】
0006337687.tif 000004
【図４】
0006337687.tif 000005
【図５】
0006337687.tif 000006
【図６】
0006337687.tif 000007
【図７】
0006337687.tif 000008
【図８】
0006337687.tif 000009
【図９】
0006337687.tif 000010
【図１０】
0006337687.tif 000011
【図１１】
0006337687.tif 000012
【図１２】
0006337687.tif 000013
【図１３】
0006337687.tif 000014
【図１４】
0006337687.tif 000015
【図１５】
0006337687.tif 000016
【図１６】
0006337687.tif 000017
【図１７】
0006337687.tif 000018
【図１８】
0006337687.tif 000019
【図１９】
0006337687.tif 000020